(57)【要約】【課題】部品点数を増やさなくとも、容易に取り外しが行えるレール取り付け用アダプタを実現することを目的にする。【解決手段】本発明は、一対の係止片部を有するレールに機器を取り付けるレール取り付け用アダプタに改良を加えたものである。本アダプタは、本体部とレバー部とからなる。本体部は、前面にレールが接するレール用溝部と、この溝部の上端に上側係止爪部が設けられ、背面にレール用溝部に直交したガイド溝部が設けられる。レバー部は、側面が概略Ｊ字型をし、長片がガイド溝部に接し、短片の上端に下側係止爪部が設けられ、長片及び短片で本体部を挟み、上下にスライドする。またレバー部は、長片が本体部より上側に突き出し、長片および短片が結合する曲部が本体部より下側に突き出していることを特徴とするものである。【選択図】        図１
2004296971.tif 000002
【特許請求の範囲】
【請求項１】
一対の係止片部を有するレールに機器を取り付けるレール取り付け用アダプタであって、
前面に前記レールの一対の係止片部が接するレール用溝部と、このレール用溝部の上端に前記レールの一方の係止片部に係合する上側係止爪部が設けられると共に、背面に前記レール用溝部に直交して上端から下端までガイド溝部が設けられる本体部と、
側面が概略Ｊ字型をし、長片が前記本体部のガイド溝部に接し、短片の上端に前記レールの他方の係止片部に係合する下側係止爪部が設けられ、前記長片及び前記短片で前記本体部を挟み、上下にスライドするレバー部と
を備え、このレバー部は、前記長片が前記本体部より上側に突き出し、前記長片および前記短片が結合する曲部が前記本体部より下側に突き出していることを特徴とするレール取り付け用アダプタ。
【請求項２】
レールはＤＩＮレールであることを特徴とする請求項１記載のレール取り付け用アダプタ。
【請求項３】
本体部は、前記レール用溝部の下側に、左右それぞれから中央へ水平に突き出したバネ部を有し、
レバー部は、前記短片の背面に突き出して設けられ前記本体部のバネ部の上側に接する第一の凸部と、この第一の凸部の下側に設けられ前記本体部の下端に接する第二の凸部とを有し、
前記レバー部は、前記バネ部の弾性によって前記レールを係合することを特徴とする請求項１または２に記載のレール取り付け用アダプタ。
【請求項４】
本体部は、前記バネ部の近傍に前面に突き出し、上側が開放され、下側が閉じられた支持部を有し、
レバー部は、前記短片の左右の側面から突き出し、前記支持部に嵌合する第三の凸部を有し、
前記支持部の下側に前記レバー部の第三の凸部が当たることによって、前記バネ部の損傷を防ぐことを特徴とする請求項１〜３のいずれかに記載のレール取り付け用アダプタ。
【発明の詳細な説明】
【０００１】
【発明の属する技術分野】
本発明は、一対の係止片部を有するレール、例えばＤＩＮレールに取り付けるレール取り付け用アダプタに関するものであり、詳しくは、部品点数を増やさなくとも、容易に取り外しが行えるレール取り付け用アダプタに関するものである。
【０００２】
【従来の技術】
レール取り付け用アダプタは、電子機器をレール（ＤＩＮレール）に取り付ける場合や、複数の電子機器を一つのベースでユニット化したものをレールに取り付ける場合に用いられるものである。そして、このアダプタは、電子機器の背面やユニットのベース背面と、アダプタ背面とがネジ止めされ固定される。一方、アダプタの前面には、上下に係止爪部が設けられ、この上下の係止爪部でレールに設けられている一対の係止片部を挟む。また、外す場合は、アダプタの下側の係止爪部を可動して、レールの係止片部を外す（例えば、特許文献１、特許文献２）
【０００３】
図５は、このようなレール取り付け用アダプタの従来例を示す構成図である。図５において、ＤＩＮレール１は、両側部に一対の係止片部１ａ、１ｂを有する。
【０００４】
アダプタ２は、本体部３、レバー部４を有し、上下に対向した一対の係止爪部３ａ、４ａを有し、この係止爪部３ａ、４ａによって、ＤＩＮレール１の係止片部１ａ、１ｂを引っかけて、レールを挟んで取り付けて弾性支持する。
【０００５】
本体部３は、前面の中央部よりやや上側に係止爪部３ａ、中央部よりやや下側の上下方向にガイド溝部３ｂが設けられる。係止爪部３ａは、ＤＩＮレール１の一方の係止片部１ａを係合する。
【０００６】
レバー部４は、上端に係止爪部４ａを有し、本体部３のガイド溝部３ｂに上下方向（図５中、矢印Ａ）へスライド自在に嵌合する。レバー部４は、常時係止する方向（図５中、上方向）に力が加わっている。係止爪部４ａは、ＤＩＮレール１の他方の係止片部１ｂを係合する。
【０００７】
このようにアダプタ２は、本体部３の係止爪部３ａとレバー部４の係止爪部４ａによって、ＤＩＮレール１を挟み弾性支持する。
【０００８】
また、アダプタ２から、ＤＩＮレール１を取り外す場合を説明する。レバー部４を下方向に引っ張る。または、レバー部４に工具を引っかけ、下方向に引っ張る。これにより、ＤＩＮレール１の係止片部１ｂの係止が解除される。そして、解除したまま、係止片部１ａを支点にアダプタ２を背面方向に回転させつつ、上方向に持ち上げて、ＤＩＮレール１からアダプタ２を取り外す。
【０００９】
ちなみに、ＤＩＮレール１に対して下側に設けられる係止爪部４ａを可動としているのは、レバー部４ａに何らかの衝撃が加わり係止片部１ｂが外れても、上側の係止爪部３ａが、ＤＩＮレール１の係止片部１ａに引っかかり、アダプタ２、およびこのアダプタ２に固定される電子機器等が、直ちにＤＩＮレール１から落ちるのを防ぐためである。
【００１０】
【特許文献１】
特開２００１−１１９１５６号公報（段落番号０００２〜００４、第１７〜第１９図）
【特許文献２】
特開平６−２２３９２７号公報（段落番号００１１〜００２３、第１図）
【００１１】
【発明が解決しようとする課題】
しかしながら、一般的に、ＤＩＮレール１は、取り付ける電気機器等が見易いように、目線より下側に設けられることが多い。そのため、ＤＩＮレール１からアダプタ２を取り外す場合、作業者は、かがみこみ目視でレバー部４を探すか、手探りでレバー部４を探す必要がある。そして、電子機器等の下に手を回してレバー部４を引き下げるが、指でつかむのは力を要する。また、作業者が怪我防止や汚れ防止のために手袋をしていたり、さらにこの手袋が油、ほこり等で汚れていると、レバー部４が滑り、更に引き下げるのが難しくなる。つまり、取り外し作業の操作性が悪いという問題があった。
【００１２】
そこで本発明の目的は、部品点数を増やさなくとも、容易に取り外しが行えるレール取り付け用アダプタを実現することにある。
【００１３】
【課題を解決するための手段】
請求項１記載の発明は、
一対の係止片部を有するレールに機器を取り付けるレール取り付け用アダプタであって、
前面に前記レールの一対の係止片部が接するレール用溝部と、このレール用溝部の上端に前記レールの一方の係止片部に係合する上側係止爪部が設けられると共に、背面に前記レール用溝部に直交して上端から下端までガイド溝部が設けられる本体部と、
側面が概略Ｊ字型をし、長片が前記本体部のガイド溝部に接し、短片の上端に前記レールの他方の係止片部に係合する下側係止爪部が設けられ、前記長片及び前記短片で前記本体部を挟み、上下にスライドするレバー部と
を備え、このレバー部は、前記長片が前記本体部より上側に突き出し、前記長片および前記短片が結合する曲部が前記本体部より下側に突き出していることを特徴とするものである。
【００１４】
請求項２記載の発明は、請求項１記載の発明において、
レールはＤＩＮレールであることを特徴とするものである。
【００１５】
請求項３記載の発明は、請求項１または２記載の発明において、
本体部は、前記レール用溝部の下側に、左右それぞれから中央へ水平に突き出したバネ部を有し、
レバー部は、前記短片の背面に突き出して設けられ前記本体部のバネ部の上側に接する第一の凸部と、この第一の凸部の下側に設けられ前記本体部の下端に接する第二の凸部とを有し、
前記レバー部は、前記バネ部の弾性によって前記レールを係合することを特徴とするものである。
【００１６】
請求項４記載の発明は、請求項１〜３のいずれかに記載の発明において、
本体部は、前記バネ部の近傍に前面に突き出し、上側が開放され、下側が閉じられた支持部を有し、
レバー部は、前記短片の左右の側面から突き出し、前記支持部に嵌合する第三の凸部を有し、
前記支持部の下側に前記レバー部の第三の凸部が当たることによって、前記バネ部の損傷を防ぐことを特徴とするものである。
【００１７】
【発明の実施の形態】
以下図面を用いて本発明の実施の形態を説明する。
図１〜図４は本発明の一実施例を示す構成図である。ここで、図５と同一のものは同一符号を付し説明を省略する。図１は、ＤＩＮレール１に本発明のアダプタ１０を取り付けた状態を示す斜視図であ。また、図２はアダプタ１０を組み立てる前の状態の斜視図である。図３は、アダプタ１０の一部分の側面図である。図４は、図１に示す状態の断面図である。
【００１８】
図１〜図４において、アダプタ１０は、本体部２０、レバー部３０を有し、レバー部３０は、本体部２０より上側、下側に突き出ている。また、本体部２０、レバー部３０は、潤滑性に優れた、例えば、プラスチック等の樹脂で金型成型により作成される。
【００１９】
まず本体部２０の説明をする。本体部２０は、前面からみると概略長方形をしており、前面がＤＩＮレール１と接し、背面に電子機器等が取り付けられる。
【００２０】
レール用溝部２１は、本体部２０の前面に設けられ、ＤＩＮレール１の係止片部１ａ、１ｂが接する。上側系止爪部２２は、このレール用溝部２１の上端に設けられ、ＤＩＮレール１の係止片部１ａに係合する。ガイド溝部２３は、本体部２０の背面に、レール用溝部２１に直交して、本体部２０の上端から下端まで設けられる。
【００２１】
また、バネ部２４Ｌ、２４Ｒは、レール用溝部２１の下側、例えば、レール用溝部２１の下端と本体部２０下端の中間付近に、本体部２０の左右それぞれのほぼ端から中央付近まで、水平に突き出している。そして、支持部２５は、バネ部２４Ｌ、２４Ｒそれぞれの上下に前面に突き出して設けらる。また、支持部２５は、上側が開放され、下側、前面が閉じられている。
【００２２】
続いて、レバー部３０の説明をする。レバー部３０は、図３の側面図に示すように、側面が概略Ｊ字型をしている。ここで、長片３１は、長いほうの片であり、短片３２は、短いほうの片であり、曲部３３は、この長片３１と短片３２が結合している部分であり、下側に丸みをおびている。なお、曲部３３は、本体部２０と組み合わせた状態では、本体部２０より下側に突き出る。
【００２３】
長片３１は、本体部２０と組み合わせた状態では、前面が本体部２０のガイド溝部２３に接し、上下方向（図２中、矢印Ｂ）へスライド自在に嵌合する。なお、長片３１は、本体部２０より上側に突き出る。
【００２４】
短片３２は、下側系止爪部３２ａ、第一の凸部３２ｂ、第二の凸部３２ｃ、第三の凸部３２ｄが設けられ、本体部２０と組み合わせた状態では、背面が本体部２０に接し、支持部２５の間を上下方向へスライドする。
【００２５】
下側系止爪部３２ａは、短片３２の上端に設けられ、ＤＩＮレール１の係止片部１ｂに係合する。
【００２６】
第一の凸部３２ｂは、短片３２の背面に左右の端から等距離の中央の位置から突き出して設けられ、組み合わせた状態では、ばね部２４Ｌ、２４Ｒそれぞれの先端の上側に接する。第二の凸部３２ｃは、第一の凸部３２ｂの下側に突き出して設けられ、本体部２０と組み合わせ、レバー部３０に力が加えられない状態では、本体部２０の下端中央に接する。第三の凸部３２ｄは、短片３２の左右の側面から水平方向に突き出し、本体部２０と組み合わせた状態では、支持部２５のそれぞれと嵌合する。
【００２７】
このようなアダプタの組み立て動作を説明する。
レバー部３０の長片３１を、本体部２０のガイド溝部２３に合わせながら、上方向にスライドしていく。その際、短片３２の上側を長片３１から離すように、指や工具で開いておく。そして、第三の凸部３２ｄが、支持部２５の上側に達したらレバー部３０の開きを元に戻し、レバー部３０を下方向にスライドし、第三の凸部３２ｄのそれぞれを支持部２５に嵌合させ（図２中、矢印Ｃ）、組み立てる。
【００２８】
この組み立てにより、第一の凸部３２ｂが、バネ部２４Ｌ、２４Ｒの上端に接し、バネ部２４Ｌ、２４Ｒが逆ハの字となり、このバネ部２４Ｌ、２４Ｒの弾性によって、レバー部３０は常に上方向、すなわちＤＩＮレール１を係止する力が加わる。また、組み立てた本体部２０、レバー部３０を外す場合は、レバー部３０を上方向にスライドして短片３２を開くが、第二の凸部３２ｃが本体部２０の下端に引っかかり、さらに支持部２５の前面が閉じているのレバー部３０が開かず、容易に外れることがないように構成されている。
【００２９】
続いて、アダプタ１０をＤＩＮレール１に取り付ける動作を説明する。
まず、本体部２０のレール用溝部２１にＤＩＮレール１を当てて、ＤＩＮレール１の上側（一方）の係止片部１ａを、本体部２０の上側係止爪部２２に係合させる。そして、係止片部１ａを支点にして、本体部２０をＤＩＮレール１の方向に回転させる。これにより、下側（他方）の係止片部１ｂが、レバー部３０の下側係止爪部３２ａに押し付けられ、レバー部３０が下側に押されると共に、バネ部２４Ｌ、２４Ｒも第一の凸部３２ｂによって下側に押され、より逆ハの字となる。そして、レバー部３０がさらに下がっていき、係止片部１ｂが下側係止爪部３２ａを通過すると、逆ハの字となったバネ部２４Ｌ、２４Ｒの弾性力によって、レバー部３０がもとの位置にもどり、係止片部１ｂも下側係止爪部３２ａに係合される。これにより、ＤＩＮレール１にアダプタ１０が固定される。このようにアダプタ１０は、本体部２０の上側係止爪部２２とレバー部３０の下側係止爪部３２ａによって、ＤＩＮレール１を挟み弾性支持する。
【００３０】
一方、アダプタ１０をＤＩＮレール１から取り外す動作を説明する。
レバー部３０の長片３１の上端を下方向に押す。これにより、レバー部３０の下側係止爪部３２ａも下がり、ＤＩＮレール１の係止片部１ｂの係止が解除される。そして、解除したまま、係止片部１ａを支点にアダプタ１０を背面方向に回転させつつ、上方向に持ち上げて、ＤＩＮレール１からアダプタ１０を取り外す。
【００３１】
なお、アダプタ１０をＤＩＮレール１から取り外す際に、レバー部３０を強く押したとしても、レバー部３０の第三の凸部３２ｄが、本体部２０の支持部２５の下側に当たるので、レバー部３０が下がりすぎて、第一の凸部３２ｂによってバネ部２４Ｌ、２４Ｒが損傷することはない。
【００３２】
このように、アダプタ１０は、本体部２０とレバー部３０の２種類の部品のみで構成される。また、レバー部３０が、下側係止爪部３２ａと一体成型されて概略Ｊ字型をし、レバー部３０の長片３１が本体部２０より上側に突き出しているので、アダプタ１０をＤＩＮレール１から取り外す際に、レバー部３０を引くのでなく押せばよい。これにより、部品点数を増やさなくとも、容易に取り外しが行える。
【００３３】
すなわち、ＤＩＮレール１は、取り付ける電気機器等が見易いように、目線より下側に設けられることが多く、レバー部３０も電子機器等の下側に隠れ、容易に目視することができない。また、図５に示すレバー部４をつかみ引き下げるのは、力が必要となる。しかし、レバー部３０の長片３１が、本体部２０の上側に突き出しているので、容易に長片３１を目視できると共に、この長片３１を引くのでなく押せばよく、容易にＤＩＮレールからアダプタ１０を外せる。これにより、部品点数を増やさなくとも、容易に取り外しが行える。
【００３４】
また、レバー部３０が、下側係止爪部３２ａと一体成型されて概略Ｊ字型をし、レバー部３０の曲部３３が本体部２０より下側に突き出しているので、アダプタ２０が目線より高い位置に設けられていても、容易に目視できる曲部３３を引き下げればよい。また、つかむ部分が曲部３３となっているので、図５に示す従来のレバー部４よりもつかみやすい。すなわち、部品点数を増やさなくとも、容易に取り外しが行える。
【００３５】
なお、本発明はこれに限定されるものではなく、以下のようなものでもよい。図１〜図４に示す装置において、支持部２５を４個設ける構成を示したが、左右に一個ずつ設けるだけでもよい。もちろん、この場合、レバー部３０の第三の凸部３２ｄの数も左右に一個ずつでよい。
【００３６】
また、本発明を用いるレールの一例としてＤＩＮレール１を示したが、一対の係止片部をもつレールに本発明を用いてよい。
【００３７】
【発明の効果】
本発明によれば、以下のような効果がある。
レール取り付け用アダプタは、本体部とレバー部の２種類の部品のみで構成される。また、レバー部が、下側係止爪部と一体成型されて概略Ｊ字型をし、レバー部の長片が本体部より上側に突き出しているので、レール取り付け用アダプタをレールから取り外す際に、レバー部を引くのでなく押せばよい。これにより、部品点数を増やさなくとも、容易に取り外しが行える。
【００３８】
また、レバー部が、下側係止爪部と一体成型されて概略Ｊ字型をし、レバー部の曲部が本体部より下側に突き出しているので、レール取り付け用アダプタが目線より高い位置に設けられていても、容易に目視できる曲部を引き下げればよい。また、つかむ部分が曲部となっているので、従来のレバー部よりもつかみやすい。すなわち、部品点数を増やさなくとも、容易に取り外しが行える。
【図面の簡単な説明】
【図１】本発明の一実施例をＤＩＮレール１に取り付けた斜視図である。
【図２】図１に示すアダプタ１０の組み立て前の本体部２０、レバー部３０の斜視図である。
【図３】レバー部３０の側面図である。
【図４】図１に示す一実施例の断面図である。
【図５】従来のアダプタ２をＤＩＮレール１に取り付けた斜視図である。
【符号の説明】
１０  アダプタ
２０  本体部
２１  レール用溝部
２２  上側係止爪部
２３  ガイド溝部
２４Ｌ、２４Ｒ  バネ部
２５  支持部
３０  レバー部
３１  長片
３２  短片
３２ａ  下側係止爪部
３２ｂ  第一の凸部
３３ｃ  第二の凸部
３３ｄ  第三の凸部
３３  曲部
【図１】
2004296971.tif 000003
【図２】
2004296971.tif 000004
【図３】
2004296971.tif 000005
【図４】
2004296971.tif 000006
【図５】
2004296971.tif 000007